(57)【要約】【課題】    液晶用マスクブランクスなどで代表される大型基板を損傷しないように搬送できる基板ケースを提供すること。【解決手段】    第１のケース本体１と第２のケース本体２を接合して内部に基板１００が収容できる空間を形成する。基板１００は基板押え具（１０）及び基板固定具２０に挟持し、第１及び第２のケース本体１，２の錠金具３を施錠して固定する。基板固定具２０の第１ボックス２１には、ケース内に向って出没自在に突出させた推進ネジ軸２３、推進ネジ軸２３にねじ結合した正面視Ｘ字状の締付けレバー２５、推進ネジ軸２３をケース内に向って前進させる付勢手段２６、推進ネジ軸２３の先端に設け基板の側面を固定する基板押え２７を設ける。基板押え具（１０）並びに基板固定具２０は第１及び第２のケース本体１，２に複数個設けられる。【選択図】    図４
2006301142.tif 000002
【特許請求の範囲】
【請求項１】
第１のケース本体（１）と第２のケース本体（２）を接合して内部に基板が収容できる空間を形成し、該第１及び第２のケース本体の接合面に複数の基板押え具（１０）と複数の基板固定具（２０）を設け、上記基板押え具並びに上記基板固定具に基板を挟持して当該第１及び第２のケース本体を錠金具により固定するものであって、上記基板押え具は、上記第１及び第２のケース本体に設けた押え部材（１１，１２）であり、一方の押え部材に基板の厚みに相当する高さの係合段部を形成し、上記基板固定具は、上記第１のケース本体に設けた第１ボックス（２１）と上記第２のケース本体に設けた第２ボックス（２２）を有し、上記第１ボックスには、ケース内に向って出没自在に突出させた推進ネジ軸（２３）、該推進ネジ軸にねじ結合した正面視Ｘ字状の締付けレバー（２５）、該推進ネジ軸をケース内に向って前進させる付勢手段（２６）、該推進ネジ軸の先端に基板の側面を固定する基板押え（２７）を設け、上記第２ボックスには、上記締付けレバーを正面視でＸ字状に位置決めして当該Ｘ字状の谷部に装着するレバーロック（２９）を設けたことを特徴とする基板ケース。
【請求項２】
第１のケース本体（１）及び第２のケース本体（２）の側面に、それぞれ複数個の台座（５）を設けたことを特徴とする請求項１に記載の基板ケース。
【発明の詳細な説明】
【技術分野】
【０００１】
本発明は、基板ケースに関するものであり、詳しくは、液晶用マスクブランクスなどで代表される基板、特に大型基板を搬送するための基板ケースに関している。
【背景技術】
【０００２】
液晶用マスクブランクスなどで代表される基板は、表面を損傷しないように搬送する必要があり、従来技術として本願発明者が提案した特許文献１又は２に記載の搬送具が知られている。
【０００３】
特許文献１に記載の搬送具は、基板の大きさが８００×９００ｍｍ程度の基板搬送に適しており、主として、基板が軽量であり搬送時に撓んでしまうような場合、縦方向に使用して搬送できるものであった。一方、特許文献２に記載の搬送具は、搬送可能な基板の大きさは、特許文献１と同程度であるが、基板に厚みがあり重量が１０ｋｇを超えるような場合であっても搬送可能なものであった。
【０００４】
液晶パネル並びにプラズマパネルなど形態の違いはあっても、いずれもパネルが大型化されてきており、これに伴って基板も大型化される中で、１枚の基板に複数枚のパターンを形成する多面取りが行われるようになっている。例えば、液晶テレビのマスクは、石英ガラス製で、１２２０×１４００ｍｍ、厚さ１３ｍｍ、重量４５ｋｇを超えるものが試作されており、基板が大型であると言うだけでなく極めて高価なものになっている。したがって、将来的には、基板はますます大型になることが予想されるので、従来技術による搬送具では対応に限界がある。
【０００５】
【特許文献１】特開２００１−１６８１８２号公報
【特許文献２】特開２００１−２０９１６８号公報
【発明の開示】
【発明が解決しようとする課題】
【０００６】
本発明の課題は、液晶用マスクブランクスなどで代表される大型基板を損傷しないように搬送できる基板ケースを提供することを目的としている。
【課題を解決するための手段】
【０００７】
解決手段の第１は、第１のケース本体と第２のケース本体を接合して内部に基板が収容できる空間を形成し、該第１及び第２のケース本体の接合面に複数の基板押え具と複数の基板固定具を設け、上記基板押え具並びに上記基板固定具に基板を挟持して当該第１及び第２のケース本体を錠金具により固定するものであって、上記基板押え具は、上記第１及び第２のケース本体に設けた押え部材であり、一方の押え部材に基板の厚みに相当する高さの係合段部を形成し、上記基板固定具は、上記第１のケース本体に設けた第１ボックスと上記第２のケース本体に設けた第２ボックスを有し、上記第１ボックスには、ケース内に向って出没自在に突出させた推進ネジ軸、該推進ネジ軸にねじ結合した正面視Ｘ字状の締付けレバー、該推進ネジ軸をケース内に向って前進させる付勢手段、該推進ネジ軸の先端に基板の側面を固定する基板押えを設け、上記第２ボックスには、上記締付けレバーを正面視でＸ字状に位置決めして当該Ｘ字状の谷部に装着するレバーロックを設けたことを特徴とするものである。
【０００８】
解決手段の第２は、第１の解決手段において、第１のケース本体及び第２のケース本体の側面に、それぞれ複数個の台座を設けたことを特徴とするものである。
【発明の効果】
【０００９】
請求項１は、第１のケース本体に設けた押え部材の係合段部に基板を載置し、締付けレバーを回転して推進ネジ軸を前進させ、基板押えにより基板の側面を固定した時、締付けレバーを正面視Ｘ字状に位置させてから、第２のケース本体のレバーロックを上記締付けレバーのＸ字状谷部に装着して第１及び第２のケース本体を施錠するものであるから、基板は上下部分並びに側面部を固定して搬送できるので、大型で重量がある基板であっても基板表面を損傷することなく搬送できる効果がある。また、基板を側面から固定する基板固定具は、ボックス内に取付けられているので、万一、バネが破損した場合であっても破損した部材が基板を収容している空間に飛び散るおそれがなく、破損した部材によって基板を損傷する事故を防止できるものである。
【００１０】
請求項２は、第１及び第２のケース本体の側面に台座を設けたものであるから、ケース搬送時にケースを立てる時の台となり、また、基板を収容したケースを縦置きに保管する時の台となり、搬送並びに保管が容易となるものである。
【発明を実施するための最良の形態】
【００１１】
図１は第１のケース本体と第２のケース本体を開放した状態を示す斜視図であり、図２は基板押え具を示す断面図であり、図３は基板押え具によって基板を固定した状態を示す断面図であり、図４は基板固定具を示す断面図であり、図５は基板固定具の一部縦断正面図である。
【００１２】
基板ケースは、第１のケース本体１と第２のケース本体２とからなり、両ケース本体を接合して内部に基板を収容する空間を形成するものであって、これらは、一般にオートロックパッチン錠と呼称される錠金具３によって固定されている。また、ケースに収容する基板１００は、第１のケース本体１及び第２のケース本体２の接合面に設けられた複数の基板押え具１０及び複数の基板固定具２０によって固定される。なお、第１のケース本体１と第２のケース本体２は、一方がケースで他方が蓋と云う関係ではなく、両者がケース本体を構成するものである。
【００１３】
実施形態において、第１及び第２のケース本体１，２は制電プラスチックの真空成型品であり、基板押え具１０はウレタン等のプラスチック製であり、基板固定具２０は金属製である。図示していないが、第１及び第２のケース本体１、２の表面にはケースの剛性を高めるための補強リブを設けることができる。なお、補強リブは、ケース本体の表面にアルミ堅棒等を貼設する補強も可能である。
【００１４】
また、基板押え具１０及び基板固定具２０は、いずれもケースを組立てた時に基板１００を固定するものであるから、第１のケース本体１及び第２のケース本体２の対応した位置に部材が取付けられている。基板押え具１０及び基板固定具２０を設置する個数は、ケースの大きさ、すなわち搬送する基板の大きさによって異なるが、実施形態では、基板固定具２０がケースを縦置きにした時の上方部に２個、左右方向に各２個を設置するが、実験では左右いずれかに設置されていれば有効であった。なお、基板押え具１０は基板固定具２０の間に適宜個数を設置するものである。
【００１５】
基板押え具１０は、第１のケース本体１に設けた第１押え部材１１と第２のケース本体２に設けた第２押え部材１２とからなり、いずれも第１及び第２のケース本体１，２の周縁に弾性を有する両面粘着テープ１３によって固定されている。ここで、第１のケース本体１と第２のケース本体２の間に基板１００を装着した後、両者を結合して錠金具３を施錠した時に、第１押え部材１１と第２のケース本体２によって挟持した基板１００が固定されるようになっている。なお、上記両面粘着テープ１３は基板１００を固定した時に圧縮され、第１押え部材１１及び第２押え部材１２に基板１００に向って作用する圧接力を付与している。
【００１６】
また、第１押え部材１１には、基板１００の厚みに相当する高さの係合段部１１ａが形成されており、該係合段部１１ａは、基板１００を収容する時の基板の固定と位置決めを兼ねるものである。さらに、第１及び第２のケース本体１，２のいずれかの周縁にケース開口部を超える高さの補強板４を設けておりケース筐体の剛性を確保している。
【００１７】
基板固定具２０は、第１のケース本体１に設けた第１ボックス２１と第２のケース本体２に設けた第２ボックス２２とからなり、接合面はいずれも縁部２１ａ，２２ａを残して開放されているものである。第１ボックス２１には、ケース本体１の内側に向かって出没自在に突出させ、基端部分を中空に形成した推進ネジ軸２３が設けられていて、該推進ネジ軸２３の基端部開口に第１ボックス２１に固定されたガイド軸２４が収容されている。また、推進ネジ軸２３には、正面視Ｘ字状の締付けレバー２５がねじ結合されていて、該締付けレバー２５と上記ガイド軸２４の取付面との間にコイルバネ２６を装着して当該推進ネジ軸２３をケース本体１の内側に向って突出するように付勢している。
【００１８】
第１ボックス２１からケース内に向って突出させた推進ネジ軸２４の先端に基板押え２７が設けられており、該基板押え２７は、断面コ字状を呈していて基板１００を側面から固定するものである。なお、基板押え２７は、基板押え具１０と同様にウレタンなどによるプラスチック製であり、内部に推進ネジ軸２４に取付けた芯板２８を有している。
【００１９】
第２ボックス２２には、正面視で中央部分にボックスの開口を横切るレバーロック２９が設けられており、該レバーロック２９は、締付けレバー２５のＸ字状の谷部に装着させることで当該締付けレバー２５が戻らないようにしている。すなわち、締付けレバー２５を回転してコイルバネ２６の力で基板１００を押えつけた時、締付けレバー２５を正面視でＸ字状にしてから第１及び第２のケース本体１，２を結合すると、上記レバーロック２９が締付けレバー２５のＸ字状の谷部に装着されることになり、基板搬送中に締付けレバー２５が緩んだりすることが防止できる。
【００２０】
この他、第１及び第２のケース本体１，２の側面に、それぞれ複数個の台座５が設けられており、ケース搬送時にケースを一時的に立てるときの台となり、また、基板を収容したケースを縦置きに保管する時の台となるものである。
【００２１】
実施形態は上記の構成であり、第１のケース本体１と第２のケース本体２を分離し、予め基板押え２７は後退させた状態にしておき、第１のケース本体１の第１押え部材１１の係合段部１１ａに基板１００を載置する。次いで、締付けレバー２５を回転してコイルバネ２６の弾力により推進ネジ軸２３を前進させ、基板押え２７を基板１００の側面に当接する。基板押え２７が基板１００の側面に当接された時に、締付けレバー２５は正面視Ｘ字状を呈するように調整し、ここで第２のケース本体２を第１のケース本体１に被せ、基板１００の周縁を第１押え部材１１と第２押え部材１２によって挟着し、錠金具３を施錠してケースを組立てる。
【００２２】
締付けレバー２５は、Ｘ字の先端が第１ボックス２１から突出しており、第２のケース本体２を被せた時に、第２ボックス２２に設けたレバーロック２９がＸ字の谷部に装着されるから、締付けレバー２５は自由な回転が阻止され、これにより基板押え２７が不用意に戻ったりすることが防止できる。
【００２３】
また、基板１００を側面から固定している基板押え２７はコイルバネ２６によって付勢されているが、これら部材は第１ボックス２１内に装着されているので、万一、バネが破損した場合であっても破損した部材が基板１００を収容している空間に飛び散るおそれがなく、破損した部材によって基板を損傷する事故が防止できるものである。
【００２４】
実施形態において、基板ケースは、大きさ１４００×１６００ｍｍ、組立時の厚さ１０５ｍｍであり、収容する基板は、大きさ１２２０×１４００ｍｍ、厚さ１３ｍｍ、重量４８ｋｇである。
【図面の簡単な説明】
【００２５】
【図１】第１のケース本体と第２のケース本体を開放した状態を示す斜視図。
【図２】基板押え具を示す断面図。
【図３】基板押え具によって基板を固定した状態を示す断面図。
【図４】基板固定具を示す断面図。
【図５】基板固定具の一部縦断正面図。
【符号の説明】
【００２６】
１  第１のケース本体
２  第２のケース本体
３  錠金具
４  補強板
５  台座
１０  基板押え具
１１  第１押え部材
１２  第２押え部材
２０  基板固定具
２１  第１ボックス
２２  第２ボックス
２３  推進ネジ軸
２４  ガイド軸
２５  締付けレバー
２６  コイルバネ
２７  基板押え
２８  芯板
２９  レバーロック
【図１】
2006301142.tif 000003
【図２】
2006301142.tif 000004
【図３】
2006301142.tif 000005
【図４】
2006301142.tif 000006
【図５】
2006301142.tif 000007